(57)【特許請求の範囲】
【請求項１】
弦楽器のヘッドに固定される板状の固定台と、
この固定台上に取り付けられた巻取機構と、
この巻取機構に接続されるとともに、前記ヘッドに形成された貫通孔を貫通させられる巻取軸と、を備えた弦楽器用糸巻装置であって、
前記固定台は、その縁部に前記ヘッド側に突出する枠状凸部が形成されているとともに該枠状凸部の内側に凹所が形成されており、
前記凹所に、前記固定台が前記ヘッドに固定された状態で該ヘッドに面接触し、かつ、該ヘッドと前記枠状凸部との間に隙間を形成するシート部材が嵌合されていること
を特徴とするヘッド保護機能付き弦楽器用糸巻装置。
【請求項２】
前記シート部材によって前記隙間が０．０１〜１ｍｍの範囲に確保されることを特徴とする請求項１に記載の弦楽器用糸巻装置。
【請求項３】
前記シート部材には、前記貫通孔に嵌合して固定され、前記巻取軸が挿通して該貫通孔に対して該巻取軸を同心状にガイドする筒状のガイド部が一体に形成されていることを特徴とする請求項１または２に記載の弦楽器用糸巻装置。
【請求項４】
前記ガイド部には、該ガイド部の少なくとも先端側を周方向に複数に分断するスリットが形成されているとともに、該スリットが形成されている部分の外周面に、前記貫通孔の内周面に当接する突起が形成されていることを特徴とする請求項３に記載の弦楽器用糸巻装置。
【請求項５】
前記シート部材は、カーボン含有樹脂で形成されていることを特徴とする請求項１〜４のいずれかに記載の弦楽器用糸巻装置。
【発明の詳細な説明】
【技術分野】
【０００１】
本発明は、ギター等の弦楽器の糸巻装置に係り、特にヘッドへの固定状態でヘッドに対する損傷を防ぐヘッド保護機能付きの糸巻装置に関する。
【背景技術】
【０００２】
ギター等の弦楽器は、弦のチューニングを行うための糸巻装置を備えている（例えば特許文献１等参照）。図７は、弦楽器の木製のヘッド１０５に固定される従来の糸巻装置の一例を示している。この糸巻装置は、ヘッドに固定される板状の固定台１１０と、固定台１１０上に取り付けられた巻取機構１２０と、ヘッド１０５を貫通してヘッド１０５の表面（図７で下面）側に先端部が突出する巻取軸１３０とを有している。巻取機構１２０はカバー１２１内に収容されており、カバー１２１および固定台１１０によって回転自在に支持されたウォームギヤ１２３と、ウォームギヤ１２３に噛合するウォームホイール１２５とを備えており、ウォームギヤ１２３から延長してカバー１２１外に延びるウォーム軸１２２に摘み（不図示）が固定されている。巻取軸１３０は、ヘッド１０５の貫通孔１０５ｃを貫通しており、一端側にウォームホイール１２５が固定され、先端部に弦Ｓが巻かれる弦巻部１３２が形成されている。
【０００３】
この糸巻装置は、巻取軸１３０をヘッド１０５の貫通孔１０５ｃに貫通させ、固定台１１０の両端部に通したビス１０６で固定台１１０をヘッド１０５に固定することでヘッド１０５に取り付けられる。そして巻取軸１３０の弦巻部１３２に弦Ｓを巻き、上記摘みにより巻取軸１３０を回転させて弦Ｓを巻き取ったり巻き解いたりすることによって弦Ｓがチューニングされる。
【先行技術文献】
【特許文献】
【０００４】
【特許文献１】特開２００６−１５４４３５号公報
【発明の概要】
【発明が解決しようとする課題】
【０００５】
図７に示した糸巻装置においては、巻取機構１２０のカバー１２１は、爪片１２１ａを固定台１１０に挿入して折り曲げることにより固定台１１０にかしめ固定されている。固定台１１０の縁部全周には枠状凸部１１１が形成され、この枠状凸部１１１の内側に凹所１１２が形成されている。糸巻装置がヘッド１０５に固定された状態では、固定台１１０の枠状凸部１１１がヘッドに当接し、凹所１１２による空間に爪片１２１ａが収容され、爪片１２１ａがヘッドに干渉しないようになされている。
【０００６】
ところが、固定台１１０の枠状凸部１１１がヘッド１０５に当接するため、ビス１０６による固定力がヘッド１０５に対して線接触する枠状凸部１１１に集中し、ヘッド１０５が損傷を受ける場合があった。ヘッドの損傷は、具体的にはヘッドに塗装された塗膜の割れや塗膜下の木部に対する溝状のへこみといったものである。このような損傷は、良好な外観が損なわれることになり、また、痕跡が残るため、別の糸巻装置に交換する際に正常な固定状態が得られにくくなるといった問題を招く。
【０００７】
本発明は上記事情に鑑みてなされたものであり、その主たる目的は、固定することでヘッドに損傷を及ぼすという不具合の発生を未然に防ぐことができるヘッド保護機能付き糸巻装置を提供することにある。
【課題を解決するための手段】
【０００８】
本発明のヘッド保護機能付き弦楽器用糸巻装置は、弦楽器のヘッドに固定される板状の固定台と、この固定台上に取り付けられた巻取機構と、この巻取機構に接続されるとともに、前記ヘッドに形成された貫通孔を貫通させられる巻取軸と、を備えた弦楽器用糸巻装置であって、前記固定台は、その縁部に前記ヘッド側に突出する枠状凸部が形成されているとともに、該枠状凸部の内側に凹所が形成されており、前記凹所に、前記固定台が前記ヘッドに固定された状態で該ヘッドに面接触し、かつ、該ヘッドと前記枠状凸部との間に隙間を形成するシート部材が嵌合されていることを特徴とする。
【０００９】
本発明の糸巻装置は、固定台とヘッドとの間にシート部材を挟んだ状態で固定台がヘッドに固定され、シート部材の厚みによってヘッドと固定台の枠状凸部との間に隙間が確保され、枠状凸部はヘッドに当接しない状態が保持される。したがってヘッドが損傷することを防ぐことができる。また、シート部材はヘッドに面接触するため、固定台の凹所による空間が空いたままの状態で固定された場合と比べると音響の伝達効率が上がり、音の伸びが良好になるという効果を得ることができる。
【００１０】
本発明では、前記シート部材によって前記隙間が０．０１〜１ｍｍの範囲に確保されると好ましく、この範囲では０．０５〜０．５ｍｍの範囲がより好ましい。
【００１１】
本発明は、前記シート部材には、前記貫通孔に嵌合して固定され、前記巻取軸が挿通して該貫通孔に対して該巻取軸を同心状にガイドする筒状のガイド部が一体に形成されている形態を含む。この形態によると、ガイド部に挿通させることで巻取軸を貫通孔に対して確実、かつ容易に同心状に貫通した状態を得ることができる。
【００１２】
また、本発明は、前記ガイド部には、該ガイド部の少なくとも先端側を周方向に複数に分断するスリットが形成されているとともに、該スリットが形成されている部分の外周面に、前記貫通孔の内周面に当接する突起が形成されている形態を含む。この形態によると、ガイド部は貫通孔の内周面に突起が当接しながら嵌合され、その際に、スリットで分断された部分が内側に応力を受けて変形が許容される。突起が貫通孔の内周面に当接することで、該内周面とガイド部の外周面との間に僅かな隙間が形成されるとともにガイド部の変形が許容されるため、ヘッドの貫通孔やガイド部の外径の寸法誤差が吸収され、その結果、ガイド部を破損させることなく、円滑、かつ確実に貫通孔に嵌合させることができる。
【００１３】
また、本発明は、前記シート部材は、カーボン含有樹脂で形成されている形態を含む。カーボンは音を伝達させやすい材料であることは知られており、したがってカーボン含有樹脂でシート部材を形成すると、ヘッドに面接触する構成と相まって上記の音響伝達効率の向上に伴う音の伸びの増加が効果的になされる。
【発明の効果】
【００１４】
本発明によれば、固定することでヘッドに損傷を及ぼすという不具合の発生を未然に防ぐことができる糸巻装置が提供されるといった効果を奏する。
【図面の簡単な説明】
【００１５】
【図１】本発明の一実施形態に係る糸巻装置の斜視図である。
【図２】一実施形態の糸巻装置がヘッドに固定された状態を示す断面図である。
【図３】同糸巻装置の、シート部材を分離させた状態の表側および裏側の斜視図である。
【図４】同糸巻装置の固定台を示す（ａ）：平面図、（ｂ）：（ａ）のＢ−Ｂ断面図である。
【図５】同糸巻装置のシート部材を示す（ａ）：平面図、（ｂ）：（ａ）のＢ−Ｂ断面図、（ｃ）：裏面図である。
【図６】同シート部材の表側および裏側の斜視図である。
【図７】一従来例の糸巻装置がヘッドに固定された状態を示す断面図である。
【発明を実施するための形態】
【００１６】
以下、図面を参照して本発明の一実施形態を説明する。
［１］糸巻装置の構成
図１は、一実施形態に係る糸巻装置１を示しており、図２は、糸巻装置１がギター等の弦楽器の木製のヘッド５に固定された使用状態を示している。この場合、ヘッド５は所定厚さの板状部材で形成されており、表面全体に塗装が施されている。図２では、ヘッド５の上面が糸巻装置１の固定面５ａ、下面が表面５ｂとする。ヘッド５には、糸巻装置１の巻取軸３０が貫通される断面円形状の貫通孔５ｃが一定の内径で形成されている。
【００１７】
図１および図２に示すように、糸巻装置１は、ヘッド５の固定面５ａにビス６によって固定される板状の固定台１０と、固定台１０上に取り付けられた巻取機構２０と、ヘッド５の貫通孔５ｃに貫通されてヘッド５の表面５ｂ側に先端部が突出する巻取軸３０と、固定台１０とヘッド５との間に介装されるシート部材４０を有している。図３は、シート部材４０が分離した状態を示している。
【００１８】
固定台１０は、鋼板等の金属板をプレス成形して形成されたもので、図４に示すように横長な略八角形状を呈している。固定台１０の縁部全周は一面側に折り曲げ加工されることで枠状凸部１１が形成されており、枠状凸部１１の内側が凹所１２となっている。固定台１０の中央やや一端側には円形状の支持孔１０ａが形成されている。また、固定台１０の両端部には円形状のビス孔１０ｂがそれぞれ形成され、それらビス孔１０ｂの支持孔１０ａ側には、矩形状のかしめ孔１０ｃがそれぞれ形成されている。
【００１９】
図２および図３に示すように、巻取機構２０は、直方体状に形成されたカバー２１内に収容されている。カバー２１は一面側が開放する箱状に形成されており、開放側の端部には一対の爪片２１ａが形成されている。カバー２１は、固定台１０に対し、凹所１２とは反対側に配置され、爪片２１ａを固定台１０のかしめ孔１０ｃに挿入して内側に折り曲げることにより、固定台１０にかしめ固定されている。折り曲げられた各爪片２１ａは、凹所１２内に収容された状態になる。
【００２０】
図２に示すように、巻取機構２０は、カバー２１および固定台１０によって回転自在に支持されたウォームギヤ２３と、ウォームギヤ２３に噛合するウォームホイール２５を備えている。ウォームギヤ２３はウォーム軸２２上に形成されており、図３に示すように、ウォーム軸２２の一端はウォームギヤ２３から延長してカバー２１外に延びている。そのカバー２１外のウォーム軸２２の先端には、摘み２４が装着されている。
【００２１】
図２に示すように、巻取軸３０はヘッド５の貫通孔５ｃに貫通されている。巻取軸３０の一端側（図２で上端側）には小径部３１が形成されており、小径部３１が固定台１０の支持孔１０ａに摺動可能に挿入されている。そしてこの小径部３１の端面に、ウォームギヤ２３に噛合するウォームホイール２５が固定されている。巻取軸３０の他端側はヘッド５の表面５ｂ側に突出しており、その突出部分には、鼓状に中央部が縮径した弦巻部３２が形成されている。弦巻部３２には弦Ｓが巻かれるが、弦巻部３２の中央には、弦Ｓを挿入して係合させる弦挿入孔３２ａが形成されている。
【００２２】
ヘッド５の貫通孔５ｃの表面５ｂ側には、巻取軸３０の外側を通して円筒状のブッシュ３５が圧入されている。ブッシュ３５は、表面５ｂに係合する鍔部３６と、外周面にセレーションが形成され貫通孔５ｃ内に圧入される圧入部３７を有し、圧入部３７のセレーションが貫通孔５ｃの内周面に係合することにより、貫通孔５ｃに対し回り止めおよび抜け止めがなされるようになっている。巻取軸３０は、支持孔１０ａの内周部およびブッシュ３５によって回転自在に支持される。
【００２３】
糸巻装置１は固定台１０がヘッド５の固定面５ａに固定されるが、固定台１０と固定面５ａとの間に、シート部材４０の平板部４１が介装される。以下、図５および図６によりシート部材４０を説明する。
【００２４】
シート部材４０は、平板部４１と、円筒状のガイド部４５を有している。シート部材４０の平板部４１は、固定台１０の凹所１２に嵌合する形状に形成されており、固定台１０のヘッド５への対向面、すなわち凹所１２の内面に沿った内面４２と、平坦でヘッド５の固定面５ａに面接触する外面４３を有している。また、平板部４１には、凹所１２に嵌合した状態で、固定台１０の支持孔１０ａに一致する円形状の巻取軸挿通孔４１ａと、ビス孔１０ｂに一致するビス挿通孔４１ｂがそれぞれ形成されている。さらにビス挿通孔４１ｂの巻取軸挿通孔４１ａ側には、折り曲げられた上記爪片２１ａとの干渉を避ける逃げ孔４１ｃが形成されている。平板部４１の厚みは、内面４２が凹所１２の内面に密着して凹所１２に嵌合した状態で、外面４３が枠状凸部１１よりも外側（ヘッド５に固定状態でのヘッド５側）に僅かに出る所定サイズに設定されている。
【００２５】
平板部４１には、ヘッド５の貫通孔５ｃに嵌合して固定される円筒状のガイド部４５が一体に形成されている。ガイド部４５は、巻取軸３０が挿通して貫通孔５ｃに対して巻取軸３０を同心状にガイドするもので、巻取軸挿通孔４１ａの外面４３側の開口縁から外面４３に直交して形成されている。ガイド部４５は、図２に示すように糸巻装置１がヘッド５に固定された状態で、貫通孔５ｃにある程度入り込む軸方向長さを有している。
【００２６】
ガイド部４５には、先端側から平板部４１の近傍までガイド部４５の軸方向と平行に延び延び、基端部が円形孔となっている複数（この場合、３つ）のスリット４６が形成されている。ガイド部４５は、これらスリット４６が形成された部分がスリット４６によって周方向に複数（３つ）に分断されて分断片４７が形成されている。これら分断片４７は、互いに近接する内側に変形可能となっている。
【００２７】
また、ガイド部４５の各分断片４７の外周面には、周方向に沿った環状突起４７ａが形成されている。環状突起４７ａの外径は貫通孔５ｃの内径よりもやや大きく、ガイド部４５が貫通孔５ｃに挿入されると環状突起４７ａが貫通孔５ｃの内周面に摺動し、かつ当接するサイズに設定されている。したがってガイド部４５の主たる部分の外径は貫通孔５ｃの内周面との間に僅かな隙間が空く程度に設定されている。
【００２８】
平板部４１およびガイド部４５を備えたシート部材４０は、カーボン含有樹脂を成形するなどの方法で作製される。カーボン含有樹脂としては、例えばカーボンファイバーを２０〜３０重量％含有する樹脂であり、樹脂としては、例えばナイロン系やＡＢＳ系等の樹脂が挙げられる。このような材料で形成することで、シート部材４０は、ガイド部４５が内側に弾性変形可能に構成される。
【００２９】
［２］糸巻装置の固定
以上が本実施形態の糸巻装置１であり、この糸巻装置１は、次のようにして図２に示すようにヘッド５に固定される。まず、シート部材４０を固定台１０に嵌合させる。それには、内面４２を凹所１２側に向けた状態で、巻取軸挿通孔４１ａとガイド部４５内に巻取軸３０を通し、続いて、ビス挿通孔４１ｂをビス孔１０ｂに一致させ、逃げ孔４１ｃに爪片２１ａを入り込ませ、平板部４１を凹所１２に嵌合させる。
【００３０】
続いて、巻取軸３０をヘッド５の貫通孔５ｃに固定面５ａ側から通して貫通させるとともに、シート部材４０のガイド部４５を貫通孔５ｃの固定面５ａ側に挿入して嵌合させ、シート部材４０の平板部４１の外面４３を固定面５ａに面接触する状態に当接させる。ガイド部４５は、環状突起４７ａが貫通孔５ｃの内周面に摺動しながら挿入され、その際には、貫通孔５ｃの内径に応じて環状突起４７ａが貫通孔５ｃの内周面から応力を受け、分断片４７が互いに近接する内側に弾性変形する。シート部材４０の平板部４１の内面４２は固定台１０の凹所１２の内面に密着させられるが、その状態で平板部４１の厚みにより、固定台１０の枠状凸部１１はヘッド５の固定面５ａから僅かに離間し、枠状凸部１１と固定面５ａとの間に隙間ｇが空く。
【００３１】
次いで、巻取軸３０の表面５ｂ側に突出した部分にブッシュ３５を通し、鍔部３６が表面５ｂに当接するまで圧入部３７を貫通孔５ｃに圧入してブッシュ３５を貫通孔５ｃに装着する。次に、巻取軸３０を中心に糸巻装置１を適宜回転させて固定台１０を所定の固定位置に位置付け、ビス６を、ビス孔１０ｂおよびビス挿通孔４１ｂに通してヘッド５にねじ込み、固定台１０をヘッド５に固定する。
【００３２】
このようにヘッド５に固定される糸巻装置１によれば、巻取軸３０の弦巻部３２に形成されている弦挿入孔３２ａに弦Ｓを挿入し、摘み２４により巻取軸３０を回転させることでウォームギヤ２３の回転をウォームホイール２５から巻取軸３０を回転させる。これにより弦Ｓを弦巻部３２に巻き取っていくことで弦Ｓにテンションを付与し、さらに摘み２４を回転させて弦Ｓを弦巻部３２に巻き取ったり巻き解いたりすることで、弦Ｓのチューニングがなされる。
【００３３】
［３］糸巻装置の作用効果
上記実施形態の糸巻装置１は、固定台１０とヘッド５との間にシート部材４０の平板部４１を挟んだ状態で固定台１０がヘッド５に固定される。この固定状態で、平板部４１の厚みにより固定面５ａと固定台１０の枠状凸部１１との間に隙間ｇが確保され、枠状凸部１１はヘッド５に当接しない状態が保持される。したがって、ビス６を締め付けても、枠状凸部１１がヘッド５の固定面５ａに強く当たることにより塗膜が割れたり塗膜下の木部が傷ついたりするといった損傷の発生が、未然に防止される。また、損傷による痕跡がヘッド５に残るといったことが生じず固定面５ａの平坦な状態が維持されるため、別の糸巻装置に交換した際にも正常な固定状態を得ることができる。なお、シート部材４０の平板部４１の厚みによって形成されるヘッド５の固定面５ａと固定台１０の枠状凸部１１との間の隙間ｇは、０．０１〜１ｍｍの範囲、好ましくは０．０５〜０．５ｍｍの範囲が確保されると良い。
【００３４】
また、シート部材４０の平板部４１は、その平坦な外面４３全面がヘッド５の固定面５ａに面接触するため、固定台１０の凹所１２による空間が空いたままの状態で固定された場合と比べると音響の伝達効率が上がり、音の伸びが良好になるという効果を得ることができる。特にシート部材４０がカーボン含有樹脂で形成されていることにより、音響伝達効率の向上に伴う音の伸びの増加が効果的になされる。
【００３５】
また、シート部材４０のガイド部４５により、貫通孔５ｃに貫通される巻取軸３０の中心が貫通孔５ｃの中心と一致する、すなわち同心状に設定される。すなわち、巻取軸３０をガイド部４５に挿通させることで、巻取軸３０を貫通孔５ｃに対して確実、かつ容易に同心状に貫通した状態を得ることができる。
【００３６】
また、そのガイド部４５を貫通孔５ｃに挿入して嵌合させる際には、環状突起４７ａが貫通孔５ｃの内周面を摺動し、複数の分断片４７が貫通孔５ｃの内径に応じて内側に弾性変形する。このため、貫通孔５ｃやガイド部４５の外径の寸法誤差が吸収され、ガイド部４５を破損させることなく、円滑、かつ確実に貫通孔５ｃに嵌合させることができる。
【００３７】
なお、本発明の糸巻装置１は、アコースティックギター、エレキギター、エレキアコースティックギター、ベースギター等の各種ギターのヘッドの他に、マンドリン、ウクレレ等のあらゆる弦楽器に適用可能である。
【符号の説明】
【００３８】
１…糸巻装置
５…ヘッド
５ｃ…貫通孔
１０…固定台
１１…枠状凸部
１２…凹所
２０…巻取機構
３０…巻取軸
４０…シート部材
４５…ガイド部
４６…スリット
４７ａ…環状突起
ｇ…隙間
Ｓ…弦
【図１】
0006318045.tif 000002
【図２】
0006318045.tif 000003
【図３】
0006318045.tif 000004
【図４】
0006318045.tif 000005
【図５】
0006318045.tif 000006
【図６】
0006318045.tif 000007
【図７】
0006318045.tif 000008